(57)【要約】【課題】メモリカードを安全に着脱できるようにする。【解決手段】表面と裏面と側面とを有する筐体と、前記表面又は裏面に離脱可能に装着されるカバーと、前記側面に設けられた開口と、前記筐体内に設けられ前記開口を介してメモリカードを離脱可能に受け入れて収容するカード装着室と、前記カバーの周縁の一部から延出し前記カバーが筐体に装着された時に前記開口を閉鎖する閉鎖片と、前記カード装着室に収容されたメモリカードに駆動電力を供給する電力供給部と、前記カバーの筐体対向面に設けられた磁石と、筐体に設けられ前記カバーが装着されたときに前記磁石の発生する磁気を検知する磁気センサと、磁気センサの出力をうけて前記電力供給部を作動させメモリカードに対して情報をアクセスする制御部とを備え、前記カバーが前記筐体から離脱されたとき、前記開口の閉鎖が解除されると共に、前記メモリカードへの電力の供給が停止もしくは前記メモリカードに対する情報のアクセスが停止される電子機器。【選択図】図３
2014023041.tif 000002
【特許請求の範囲】
【請求項１】
表面と裏面と側面とを有する筐体と、前記表面又は裏面に離脱可能に装着されるカバーと、前記側面に設けられた開口と、前記筐体内に設けられ前記開口を介してメモリカードを離脱可能に受け入れて収容するカード装着室と、前記カバーの周縁の一部から延出し前記カバーが筐体に装着された時に前記開口を閉鎖する閉鎖片と、前記カード装着室に収容されたメモリカードに駆動電力を供給する電力供給部と、前記カバーの筐体対向面に設けられた磁石と、筐体に設けられ前記カバーが装着されたときに前記磁石の発生する磁気を検知する磁気センサと、磁気センサの出力をうけて前記電力供給部を作動させメモリカードに対して情報をアクセスする制御部とを備え、前記カバーが前記筐体から離脱されたとき、前記開口の閉鎖が解除されると共に、前記メモリカードへの電力の供給が停止もしくは前記メモリカードに対する情報のアクセスが停止される電子機器。
【請求項２】
前記筐体が前記開口を開閉する防水扉を備え、前記閉鎖片は、前記防水扉を介して前記開口を閉鎖する請求項１記載の電子機器。
【請求項３】
前記メモリカードがＳＩＭカード又はＳＤメモリカードからなる請求項１又は２記載の電子機器。
【発明の詳細な説明】
【技術分野】
【０００１】
この発明は、主に携帯電話機のような電子機器に関する。
【背景技術】
【０００２】
メモリカードを利用する電子機器において、メモリカードに対して情報をアクセスしている時に、メモリカードが抜去されると、メモリカードの破壊を招くため、メモリカードへの電源の供給を遮断してから抜去する必要がある。
【０００３】
この必要性を満たすために、電源電池を装着する電池装着室とメモリカードを装着するカード定着室とを隣接して設け、両者を共通の蓋で閉塞し、蓋の内面に電源電池に接触可能な導電性の接続片を設け、蓋の閉塞時に接続片を電源電池に接触してメモリカードへの電源供給線路を構成し、メモリカードの装着および抜去時に蓋が開放状態となって電源供給線路が開放されることにより、メモリカードへの電源供給を遮断するようにした装置が知られている（例えば、特許文献１参照）。
【先行技術文献】
【特許文献】
【０００４】
【特許文献１】特開平１０−７９９０９号公報
【発明の概要】
【発明が解決しようとする課題】
【０００５】
しかしながら、上記のような装置では、電池装着室とカード装着室を隣接して設置する必要があり、電池装着室をカード装着室から離れて自由に設置することができないため、装置の設計に制約をうけるという問題がある。
【０００６】
この発明はこのような事情を考慮してなされたもので、電池装着室をカード装着室から任意に離して設置することができ、設計の自由度の高い電子機器を提供するものである。
【課題を解決するための手段】
【０００７】
この発明は、表面と裏面と側面とを有する筐体と、前記表面又は裏面に離脱可能に装着されるカバーと、前記側面に設けられた開口と、前記筐体内に設けられ前記開口を介してメモリカードを離脱可能に受け入れて収容するカード装着室と、前記カバーの周縁の一部から延出し前記カバーが筐体に装着された時に前記開口を閉鎖する閉鎖片と、前記カード装着室に収容されたメモリカードに駆動電力を供給する電力供給部と、前記カバーの筐体対向面に設けられた磁石と、筐体に設けられ前記カバーが装着されたときに前記磁石の発生する磁気を検知する磁気センサと、磁気センサの出力をうけて前記電力供給部を作動させメモリカードに対して情報をアクセスする制御部とを備え、前記カバーが前記筐体から離脱されたとき、前記開口の閉鎖が解除されると共に、前記メモリカードへの電力の供給が停止もしくは前記メモリカードに対する情報のアクセスが停止される電子機器を提供するものである。
【発明の効果】
【０００８】
この発明によれば、筐体の表面又は裏面に装着されたカバーを筐体から離脱させることにより、カード装着室の開口の閉鎖が解除されると共にメモリカードへの電力の供給が停止もしくはメモリカードに対する情報のアクセスが停止されるので、メモリカードを安全に離脱および装着できると共に、メモリカードに電力を供給する電力供給部をカード装着室から離れて設置することが可能になる。
【図面の簡単な説明】
【０００９】
【図１】この発明の実施形態の携帯電話機の正面から見た斜視図である。
【図２】図１に示す携帯電話機の背面から見た斜視図である。
【図３】図１に示す携帯電話機の分解斜視図である。
【図４】図３の要部拡大斜視図である。
【図５】図１に示す携帯電話機の化粧カバーの裏面から見た斜視図である。
【図６】図１に示す携帯電話機の制御系を示すブロック図である。
【図７】図１に示す携帯電話機の通話動作を示すフローチャートである。
【図８】図１に示す携帯電話機のメモリカードの保護動作を示すフローチャートである。
【発明を実施するための形態】
【００１０】
この発明の電子機器は、表面と裏面と側面とを有する筐体と、前記表面又は裏面に離脱可能に装着されるカバーと、前記側面に設けられた開口と、前記筐体内に設けられ前記開口を介してメモリカードを離脱可能に受け入れて収容するカード装着室と、前記カバーの周縁の一部から延出し前記カバーが筐体に装着された時に前記開口を閉鎖する閉鎖片と、前記カード装着室に収容されたメモリカードに駆動電力を供給する電力供給部と、前記カバーの筐体対向面に設けられた磁石と、筐体に設けられ前記カバーが装着されたときに前記磁石の発生する磁気を検知する磁気センサと、磁気センサの出力をうけて前記電力供給部を作動させメモリカードに対して情報をアクセスする制御部とを備え、前記カバーが前記筐体から離脱されたとき、前記開口の閉鎖が解除されると共に、前記メモリカードへの電力の供給が停止もしくは前記メモリカードに対する情報のアクセスが停止されることを特徴とする。
ここで電子機器は、主に携帯電話機のような携帯端末、ビデオカメラやデジタルカメラのような撮像機器などを含む。
この発明に用いるメモリカードは、ＳＩＭカード（Subscriber Identity Module card）やＳＤメモリカード（Secure Digital memory card）を含むことができる。
【００１１】
前記筐体が前記開口を開閉する防水扉を備え、前記閉鎖片は、前記防水扉を介して前記開口を閉鎖するようにしてもよい。
【００１２】
以下、図面に示す実施形態に基づいてこの発明を詳述する。これによってこの発明が限定されるものではない。
【００１３】
図１および図２は、この発明の実施形態としての携帯電話機の、正面から見た斜視図と背面から見た斜視図であり、図３は図１に示す携帯電話機の分解斜視図である。
【００１４】
これらの図に示すように携帯電話機の筐体１は、表面２，裏面３，前側面４，後側面５，右側面６および左側面７を備える。裏面３には化粧カバー８が離脱可能に装着される。化粧カバー８には送話口９と受話口１０とが設けられ、筐体１は、送話口９に対応する位置にマイクロフォン１１を内蔵し、受話口１０に対応する位置にスピーカ１２を内蔵する。
【００１５】
また、化粧カバー８はその裏面、つまり筐体１の裏面３に対向する面に永久磁石片１４を備える。筐体１は図３の破線矢印で示すように永久磁石片１４に対応する位置に磁気センサ１５を内蔵し、化粧カバー８が裏面３に装着されたときに、磁気センサ１５は永久磁石片１４の磁気を検出するようになっている。
【００１６】
図１に示すように、筐体１の表面２は表示部（液晶表示パネル）４４とその上に重ねられた操作部（タッチパネル）４６を備える。図３に示すように、筐体１の前側面４には開口１３が設けられている。化粧カバー８は、周縁の一部から延出する閉鎖片１６を備え、化粧カバー８が裏面３に装着されたときに開口１３を閉鎖片１６が閉鎖するようになっている。
【００１７】
図４は開口１３の周辺を示す図３の要部拡大斜視図である。同図に示すように、筐体１の内部には、開口１３を介してメモリカード１７，１８を離脱可能に受け入れて収容するカード装着室１９が設けられている。
【００１８】
メモリカード１７，１８はカード装着室１９の奥に設けられたカードソケット２０に差し込まれて保持される。開口１３には図４に示すように防水扉２１が開閉可能に設けられている。
【００１９】
従って、使用者はメモリカード１７，１８の装着時には、カード装着室１９のカードソケット２０にメモリカード１７，１８を開口１３を介して差し込み、防水扉２１を閉じた後、化粧カバー８を裏面３に装着すると、化粧カバー８の閉鎖片１６（図３）が防水扉２１を介して開口１３を閉鎖する。
【００２０】
また、メモリカード１７，１８をカード装着室１９から取り出す場合には、逆に化粧カバー８を裏面３から取り外した後、防水扉２１を開いてメモリカード１７，１８をカードソケット２０から抜き出す。なお、この実施形態では、メモリカード１７，１８はそれぞれＳＩＭカードとＳＤメモリカードである。
【００２１】
図５は化粧カバー８の裏面から見た斜視図であり、右側面６（図３）に対応する周縁部２２には係止爪２４，２５が形成され、左側面７に対応する周縁部２３には係止爪２６，２７が形成されている。一方、図３に示すように筐体１の右側面６には係止凹部２８，２９が、左側面７には係止凹部３０，３１がそれぞれ形成されている。
【００２２】
そして、筐体１の裏面３に化粧カバー８を装着するときには、図３のように位置を合わせて化粧カバー８を裏面３に押しつけると、係止爪２４，２５，２６，２７がそれぞれ係止凹部２８，２９，３０，３１に嵌め込まれてスナップアクションにより係止し、化粧カバー８が裏面３に固着される。
【００２３】
一方、化粧カバー８を筐体１の裏面３から取り外すときには、筐体１の後側面５に形成された切欠き部３３（図３）と、後側面５に対応する化粧カバー８の周縁部に形成された切欠き部３４（図５）とによって形成される凹部３２（図２）に、指先きを挿入して化粧カバー８を引き上げる。それによって化粧カバー８を筐体１から容易に取り外すことができる。
【００２４】
図６は前記携帯電話機の制御系を示すブロック図である。
同図に示すように携帯電話機は、アンテナ４１と、アンテナ４１を介して無線信号を送受信する無線通信部４２と、スピーカ１２と、マイクロホン１１と、スピーカ１２へ音声信号を出力しマイクロホン１１から音声信号を受け入れるための音声処理部４３と、表示部（液晶表示パネル）４４と、表示部４４の表示を制御する表示制御部４５と、操作部（タッチパネル）４６と、バッテリ４８と、カードコンセント２０と、磁気センサ１５と、主制御部４７を備える。
【００２５】
なお、主制御部４７はＣＰＵ，ＲＯＭ，ＲＡＭからなるマイクロコンピュータを備えると共に、バッテリ４８の電力を無線通信部４２，音声処理部４３，表示制御部４５，操作部４６，カードソケット２０などに供給する電力供給部４９を備える。
【００２６】
次に、図６に示す携帯電話機の通話動作の一例について図７に示すフローチャートを用いて簡単に説明する。
図７に示すように、ステップＳ１において、携帯電話機は着信を待機する。着信が着信音やメロディなどで使用者に通知されると（ステップＳ２）、表示部４４に着信情報（相手の氏名や電話番号）が表示される（ステップＳ３）。
【００２７】
使用者は、表示部４４に表示された着信情報を確認する。そして、操作部４６によって受話の開始操作を行う（ステップＳ４）。
【００２８】
同時に、筐体１を顔に近づけ受話口１０と送話口９をそれぞれ耳と口の位置に対応させる。通話が行われ（ステップＳ５）、やがて通話が終了して使用者が操作部４６によって通話終了操作を行うと（ステップＳ６）、通話は終了し（ステップＳ７）、ルーチンはステップＳ１に戻る。
【００２９】
次に、ステップＳ１において、着信を待機せず送話を行う場合には、操作部４６によって送話の開始操作を行う（ステップＳ１０）。それによって、電話番号が表示部４に表示される（ステップＳ１１）。表示された電話番号を操作部９によって検索すると共に所望の番号の決定指示を行う（ステップＳ１２，Ｓ１３）。
【００３０】
その操作によって、相手への呼出し動作が行われ（ステップＳ１４）、相手に着信すると（ステップＳ１５）、ルーチンはステップＳ５へ移り、通話制御が行われる。
【００３１】
ステップＳ１５において相手に着信しないときには、呼出し終了操作を操作部４６によって行うと（ステップＳ１６）、送話操作は終了し、ルーチンはステップＳ１へ戻る。このようにして、通話動作が行われる。
【００３２】
なお、メモリカード１７（ＳＩＭカード）には、例えば電話帳が格納されているので、必要に応じて操作部４６を操作して利用することができる。また、メモリカード１８（ＳＤメモリカード）には、例えば音声データを格納できるので、操作部４６を操作して適宜通話内容の格納や再生を行うことができる。
【００３３】
次に、図１８に示すフローチャートを用いて磁気センサ１５と主制御部４７の動作を説明する。ユーザがメモリカード１７，１８の着脱を行う場合には、先ず、化粧カバー８を筐体１の裏面３から取り外す（ステップＳ２１）。磁気センサ１５は、化粧カバー８の筐体１に対する対向面に設けられた永久磁石片１４が磁気センサ１５から離れたことを検出し（ステップＳ２２）、主制御部４７のＣＰＵへ通知する（ステップＳ２３）。
【００３４】
それをうけて、主制御部４７のＣＰＵはメモリカード１７，１８に対する情報のアクセスを停止すると共に、電力供給部４９にメモリカード１７，１８への電力の供給を停止させる（ステップＳ２４，Ｓ２５）。
【００３５】
そこで、ユーザは防水扉２１（図４）を開き、メモリカード１７，１８の着脱作業を行う。着脱作業の終了後、防水扉２１を閉じて、化粧カバー８を筐体１の裏面に再び装着すると、化粧カバー８の閉鎖片１６が防水扉２１を介して開口１３を閉鎖する（ステップＳ２６）。
【００３６】
磁気センサ１５は永久磁石片１４からの磁気を検出し、主制御部４７のＣＰＵへ通知する（ステップＳ２７，Ｓ２８）。ＣＰＵは電力供給部４９にメモリカード１７，１８への電力供給を再開させると共に、メモリカード１７，１８への情報のアクセスを再開する（ステップＳ２９，Ｓ３０）。
【００３７】
このようにして、メモリカード１７，１８の着脱時には予めメモリカード１７，１８へのアクセスと電力供給が停止されるので、ユーザはメモリカード１７，１８を安全に着脱することができる。
【符号の説明】
【００３８】
１      筐体
２      表面
３      裏面
４      前側面
５      後側面
６      右側面
７      左側面
８      化粧カバー
９      送話口
１０    受話口
１１    マイクロフォン
１２    スピーカ
１３    開口
１４    永久磁石片
１５    磁気センサ
１６    閉鎖片
１７    メモリカード
１８    メモリカード
１９    カード装着室
２０    カードソケット
２１    防水扉
２２    周縁部
２３    周縁部
２４    係止爪
２５    係止爪
２６    係止爪
２７    係止爪
２８    係止凹部
２９    係止凹部
３０    係止凹部
３１    係止凹部
３２    凹部
３３    切欠き部
３４    切欠き部
４１    アンテナ
４２    無線通信部
４３    音声処理部
４４    表示部
４５    表示制御部
４６    操作部
４７    主制御部
４８    バッテリ
４９    電力供給部
【図１】
2014023041.tif 000003
【図２】
2014023041.tif 000004
【図３】
2014023041.tif 000005
【図４】
2014023041.tif 000006
【図５】
2014023041.tif 000007
【図６】
2014023041.tif 000008
【図７】
2014023041.tif 000009
【図８】
2014023041.tif 000010